(57)【特許請求の範囲】
【請求項１】
ファイルエージングサービス提供サーバーで実行されるファイルエージングサービス提供方法において、
ユーザー端末から複数のコンテンツアップロードサーバーにコンテンツをアップロードすると、前記ファイルエージングサービス提供サーバーは、前記コンテンツがアップロードされた前記コンテンツアップロードサーバーと前記ファイルエージングサービス提供サーバーとが連動するように、前記ユーザー端末から前記コンテンツアップロードサーバーに対するコンテンツアップロードイベントを受信する段階と、
前記受信したコンテンツアップロードイベントに含まれている、前記ユーザー端末で設定したコンテンツ消滅時点、前記コンテンツがアップロードされたアドレスの情報であるアップロード情報、および前記ユーザー端末の前記コンテンツアップロードサーバーに対するログイン情報を、前記ファイルエージングサービス提供サーバーが、前記ユーザー端末とマッピングして保存する段階と、
前記ファイルエージングサービス提供サーバーが、前記コンテンツ消滅時点と現時点との期間差に基づいて、前記コンテンツのエージング信号（Ａｇｉｎｇ  Ｓｉｇｎａｌ）を、前記アップロード情報およびログイン情報を用いて前記コンテンツがアップロードされた前記コンテンツアップロードサーバーへ出力して前記コンテンツを変形させる段階と、
前記ファイルエージングサービス提供サーバーが、前記コンテンツ消滅時点から所定の期間内に前記ユーザー端末へ前記コンテンツの消滅予定メッセージを伝送する段階とを含み、
前記コンテンツアップロードサーバーは、前記出力されたエージング信号に対応するように前記コンテンツを変形させることを特徴とする、ファイルエージングサービス提供方法。
【請求項２】
前記ファイルエージングサービス提供サーバーは、前記コンテンツアップロードサーバーにアップロードされたコンテンツおよび前記コンテンツの消滅時点を表示する少なくとも一つのサイトを提供することを特徴とする、請求項１に記載のファイルエージングサービス提供方法。
【請求項３】
前記ユーザー端末から前記コンテンツの消滅予定メッセージの応答メッセージを受信する段階と、
前記応答メッセージがコンテンツ消滅治療メッセージである場合には、前記コンテンツのディ−エージング信号（ｄｅ−Ａｇｉｎｇ  Ｓｉｇｎａｌ）を出力し、前記応答メッセージがコンテンツ消滅確認メッセージである場合には、前記少なくとも一つのサイトおよび前記コンテンツアップロードサーバーへ前記コンテンツの消滅信号を伝送して前記コンテンツが削除されるようにする段階とをさらに含むことを特徴とする、請求項２に記載のファイルエージングサービス提供方法。
【請求項４】
前記コンテンツのディ−エージング信号は、前記コンテンツの前記コンテンツ消滅時点を延長するコンテンツ消滅時点変更信号、前記コンテンツを前記ユーザー端末または前記コンテンツアップロードサーバーに保存するコンテンツ保存信号、または前記コンテンツ消滅時点を再設定するコンテンツ消滅時点再設定信号であることを特徴とする、請求項３に記載のファイルエージングサービス提供方法。
【請求項５】
前記コンテンツのエージング信号は、前記少なくとも一つのサイトおよびコンテンツアップロードサーバーへ伝送され、
前記コンテンツのエージング信号は、前記コンテンツを表示するユーザーインターフェースの色あせ、スクラッチ、ノイズ、および透明度の少なくとも一つを調節する信号であることを特徴とする、請求項２に記載のファイルエージングサービス提供方法。
【請求項６】
前記コンテンツアップロードサーバーは、メッセンジャーサービス提供サーバー、ソーシャルネットワークサービス（Ｓｏｃｉａｌ  Ｎｅｔｗｏｒｋ  Ｓｅｒｖｉｃｅ）提供サーバー、インターネットサービス提供サーバー、テキストメッセージサービス提供サーバー、クラウドサービス提供サーバー、およびメールサービス提供サーバーの少なくとも一つであることを特徴とする、請求項１に記載のファイルエージングサービス提供方法。
【請求項７】
前記ユーザー端末から前記コンテンツアップロードサーバーを経由して前記ユーザー端末の前記コンテンツアップロードサーバーに対するＩＤおよびパスワードを受信し、或いは前記コンテンツアップロードサーバーから前記ユーザー端末のＩＤおよびパスワードを受信する段階と、
前記受信したＩＤおよびパスワードを前記ユーザー端末と前記ＩＤおよびパスワードの適用されるコンテンツアップロードサーバーをマッピングして保存する段階と、
前記ユーザー端末から前記コンテンツの消滅予定メッセージの応答メッセージを受信する段階と、
前記応答メッセージがコンテンツ消滅治療メッセージである場合には、前記コンテンツのディ−エージング信号（ｄｅ−Ａｇｉｎｇ  Ｓｉｇｎａｌ）を出力し、前記応答メッセージがコンテンツ消滅確認メッセージである場合には、前記コンテンツの消滅信号を出力する段階と、
前記コンテンツアップロードサーバーが提供するサイトに画像認識アルゴリズムを利用してＩＤおよびパスワードを入力するユーザーインターフェースを検索する段階と、
前記検索されたＩＤおよびパスワードを入力するユーザーインターフェースに、前記受信したＩＤおよびパスワードを入力する段階と、
前記ユーザー端末がアップロードした前記コンテンツをディ−エージングさせて消滅状態を回復させるか、或いは前記ユーザー端末がアップロードした前記コンテンツを自動的に消滅させる段階とをさらに含むことを特徴とする、請求項１に記載のファイルエージングサービス提供方法。
【請求項８】
前記ユーザーインターフェースを検索する段階は、前記コンテンツアップロードサーバーが提供するサイトから、前記ＩＤおよびパスワードを入力するユーザーインターフェースの座標値を抽出し、前記ユーザー端末の画面サイズおよび画面倍率に対応する座標値を調節することにより実行されることを特徴とする、請求項７に記載のファイルエージングサービス提供方法。
【請求項９】
前記コンテンツアップロードサーバーは、前記ユーザー端末から前記コンテンツをアップロードするとき、前記コンテンツ消滅時点を設定することが可能なタイマーに対応するユーザーインターフェースを前記ユーザー端末へ提供することを特徴とする、請求項１に記載のファイルエージングサービス提供方法。
【請求項１０】
前記コンテンツアップロードサーバーと前記ファイルエージングサービス提供サーバーは、前記コンテンツ消滅時点で前記アップロードされたコンテンツの同期化を行うことを特徴とする、請求項１に記載のファイルエージングサービス提供方法。
【請求項１１】
前記コンテンツの変形率は前記コンテンツ消滅時点と現時点との期間差に対応することを特徴とする、請求項１に記載のファイルエージングサービス提供方法。
【請求項１２】
前記コンテンツアップロードサーバーから、前記ユーザー端末がアップロードしたコンテンツに対する検索イベントを受信する段階と、
前記受信した検索イベントに基づいて前記コンテンツの消滅時点を変更する段階とをさらに含み、
前記検索イベントに含まれている検索の数が増加するほど、前記コンテンツの消滅時点は遅くなり、前記検索イベントに含まれている検索の数が減少するほど、前記コンテンツの消滅時点は早くなることを特徴とする、請求項１に記載のファイルエージングサービス提供方法。
【請求項１３】
ファイルエージングサービス提供サーバーで実行されるファイルエージングサービス提供方法において、  前記ファイルエージングサービス提供サーバーが、複数のユーザー端末から前記複数のユーザー端末のコンテンツアップロードサーバーに対する会話への参加イベントを受信する段階と、  前記複数のユーザー端末のうちいずれか一つのユーザー端末から前記コンテンツアップロードサーバーにコンテンツをアップロードすると、前記ファイルエージングサービス提供サーバーは、前記コンテンツがアップロードされた前記コンテンツアップロードサーバーと前記ファイルエージングサービス提供サーバーとが連動するように、コンテンツアップロードイベントを受信する段階と、  前記ファイルエージングサービス提供サーバーが、前記受信したコンテンツアップロードイベントに含まれているコンテンツを、前記コンテンツアップロードサーバーに接続された前記複数のユーザー端末へ伝送する段階と、  前記ファイルエージングサービス提供サーバーが、前記受信したコンテンツアップロードイベントに含まれているコンテンツ消滅時点と現時点との期間差を計算して、前記コンテンツアップロードサーバーに接続された前記複数のユーザー端末へ伝送する段階と、  前記コンテンツ消滅時点が現時点と一致する場合、前記複数のユーザー端末から前記コンテンツが消滅するように、前記ファイルエージングサービス提供サーバーは、前記コンテンツアップロードサーバーへコンテンツの消滅信号を伝送することにより、前記コンテンツが前記複数のユーザー端末から削除されるようにする段階とを含むことを特徴とする、ファイルエージングサービス提供方法。
【請求項１４】
前記複数のユーザー端末は、前記受信した期間差をテキスト、イメージまたは映像として表示することを特徴とする、請求項１３に記載のファイルエージングサービス提供方法。
【請求項１５】
前記コンテンツ消滅時点と現時点との期間差に基づいて前記コンテンツのエージング信号（Ａｇｉｎｇ  Ｓｉｇｎａｌ）を前記複数のユーザー端末へ出力して前記コンテンツを変形させる段階をさらに含み、
前記コンテンツのエージング信号は、前記コンテンツを表示するユーザーインターフェースの色あせ、スクラッチ、ノイズおよび透明度の少なくとも一つを調節する信号であることを特徴とする、請求項１３に記載のファイルエージングサービス提供方法。
【請求項１６】
ファイルエージングサービス提供サーバーで実行されるファイルエージングサービス提供方法において、
ユーザー端末から複数のコンテンツアップロードサーバーにコンテンツを保存すると、前記ファイルエージングサービス提供サーバーは、前記コンテンツが保存された前記コンテンツアップロードサーバーと前記ファイルエージングサービス提供サーバーとが連動するように、前記ユーザー端末から前記コンテンツアップロードサーバーに対するコンテンツ保存イベントを受信する段階と、
前記受信したコンテンツ保存イベントに含まれている、前記ユーザー端末で設定したコンテンツ消滅時点、前記コンテンツが保存されたアドレスの情報である保存情報、および前記ユーザー端末の前記コンテンツアップロードサーバーに対するログイン情報を、前記ファイルエージングサービス提供サーバーが、前記ユーザー端末とマッピングして保存する段階と、
前記ファイルエージングサービス提供サーバーが、前記コンテンツ消滅時点と現時点との期間差に基づいて、前記コンテンツのエージング信号（Ａｇｉｎｇ  Ｓｉｇｎａｌ）を、前記保存情報およびログイン情報を用いて前記コンテンツが保存された前記コンテンツアップロードサーバーへ出力して前記コンテンツを変形させる段階と、
前記ファイルエージングサービス提供サーバーが、前記コンテンツ消滅時点から所定の期間内に前記ユーザー端末へ前記コンテンツの消滅予定メッセージを伝送する段階と、
前記ファイルエージングサービス提供サーバーが、前記ユーザー端末から前記コンテンツの消滅予定メッセージの応答メッセージを受信する段階と、  前記ファイルエージングサービス提供サーバーは、前記応答メッセージがコンテンツ消滅治療メッセージである場合には、前記保存情報およびログイン情報を用いて前記コンテンツがアップロードされた前記コンテンツアップロードサーバーへ、前記コンテンツのディ−エージング信号（ｄｅ−Ａｇｉｎｇ  Ｓｉｇｎａｌ）を出力して、前記変形したコンテンツを復元し、前記応答メッセージがコンテンツ消滅確認メッセージである場合には、前記保存情報およびログイン情報を用いて前記コンテンツがアップロードされた前記コンテンツアップロードサーバーへ、前記コンテンツの消滅信号を伝送して、前記変形したコンテンツが削除されるようにする段階とを含むことを特徴とする、ファイルエージングサービス提供方法。
【請求項１７】
ファイルエージングサービス提供方法を実行するファイルエージングサービス提供サーバーと連動して動作するアプリケーションを提供する方法であって、  前記アプリケーションは、前記ファイルエージングサービス提供サーバーまたはファイルエージングサービス提供サーバーと連動するモバイルマーケットから提供され、  前記ファイルエージングサービス提供サーバーは、請求項１〜１６のいずれか一項に記載の方法を実施することを特徴とする、アプリケーション提供方法。
【発明の詳細な説明】
【技術分野】
【０００１】
本発明は、ファイルエージングサービス提供方法に係り、特に、ユーザー端末からアップロードした複数のコンテンツの寿命を一つのサイトで管理することができる方法に関する。
【背景技術】
【０００２】
最近、セキュリティの重要性が高まるにつれて、様々なセキュリティプログラムを使用しており、様々なセキュリティプログラムが開発されている傾向にある。また、個人情報や著作権付きの著作物を共有する場合、情報流出の危険が増加するため、セキュリティプログラムの重要性は一層大きくなりつつある。
【０００３】
この際、ファイルを管理する方法は、データベースのアクセスを管理する方法で行われている。ファイルを管理する方法に関連して、先行技術である韓国登録特許第１０−１１５８３３６号（２０１２年６月２２日公告）には、個人情報のコピー、移動、照会、および削除の操作が、仮想空間ディレクトリごとに与えられた権限によってのみ可能である方法が開示されている。
【０００４】
但し、ファイルを管理するサービスを提供するにあたり、ファイル自体を削除しない限り、データベースがハッキングされる場合、当該ファイルは流出するおそれがあり、著作権のあるファイルを共有するとき、コピーおよび保存し易いデジタル環境では、著作権を持たないユーザーによって当該ファイルが再配布される可能性を排除することはできない。
【発明の概要】
【発明が解決しようとする課題】
【０００５】
本発明の一実施形態は、Ｗｅｂサイトまたはアプリケーションにアップロードされたコンテンツの消滅時点の管理およびコンテンツの削除を一つのサイトで管理することができ、著作権付きの著作物に対して消滅時点を設定することにより、再配布または再共有されないように管理することができ、アクセス性のやや低い或いは実行されないプログラムに対する消滅時点を繰り上げるようにすることにより、保管価値の低いプログラム又はコンテンツがジャンクデータ（Ｊｕｎｋ  Ｄａｔａ）として残らないようにすることが可能なファイルエージングサービス提供方法を提供することができる。但し、本実施形態が解決しようとする技術的課題は、上述したような技術的課題に限定されず、別の技術的課題が存在しうる。
【課題を解決するための手段】
【０００６】
上述した技術的課題を達成するための技術的手段として、本発明の一実施形態は、コンテンツアップロードサーバーを経由してユーザー端末からコンテンツアップロードイベントを受信する段階と、受信されたコンテンツアップロードイベントに含まれているコンテンツ消滅時点をユーザー端末とマッピングして保存する段階と、コンテンツ消滅時点と現時点との期間差に基づいてコンテンツのエージング信号（Ａｇｉｎｇ  Ｓｉｇｎａｌ）を出力してコンテンツを変形させる段階と、コンテンツ消滅時点から所定の期間内にユーザー端末へコンテンツの消滅予定メッセージを伝送する段階とを含み、前記コンテンツアップロードサーバーは、出力されたエージング信号に対応するようにコンテンツを変形させることを特徴とする、ファイルエージングサービス提供方法を提供する。
【発明の効果】
【０００７】
前述した本発明の課題解決手段のいずれかによれば、著作権付きの著作物の再配布および再共有を防ぐことができ、秘密保持されるべきコンテンツに対するセキュリティ性を高めることができ、ジャンクデータを簡単に整理することができる。
【図面の簡単な説明】
【０００８】
【図１】本発明の一実施形態に係るファイルエージングサービス提供システムを説明するための構成図である。
【図２】図１に示されたファイルエージングサービス提供サーバーを説明するための構成図である。
【図３ａ】図１に示されたファイルエージングサービスがＷｅｂサイトおよびユーザーの端末で駆動される一実施形態を示す図である。
【図３ｂ】図１に示されたファイルエージングサービスがＷｅｂサイトおよびユーザーの端末で駆動される一実施形態を示す図である。
【図３ｃ】図１に示されたファイルエージングサービスがＷｅｂサイトおよびユーザーの端末で駆動される一実施形態を示す図である。
【図３ｄ】図１に示されたファイルエージングサービスがＷｅｂサイトおよびユーザーの端末で駆動される一実施形態を示す図である。
【図４】本発明の一実施形態に係る図１のファイルエージングサービス提供システムに含まれている各構成の相互間でデータが送受信される過程を示す図である。
【図５】本発明の一実施形態に係るファイルエージングサービス提供方法を説明するための動作フローチャートである。
【発明を実施するための形態】
【０００９】
以下、添付図面を参照して、本発明の属する技術分野における通常の知識を有する者が容易に実施できるように本発明の実施形態を詳細に説明する。しかし、本発明は、様々な異なる形態で実現でき、ここで説明する実施形態に限定されない。図面において、本発明を明確に説明するために、説明と関係のない部分は省略し、明細書全体にわたって類似する部分については同様の符号を付した。
【００１０】
明細書全体において、ある部分が他の部分に「接続」されているとするとき、これは「直接接続」されている場合だけではなく、それらの間に別の素子を介在して「電気的に接続」されている場合も含む。また、ある部分が他の構成要素を「含む」とするとき、これは特に反対される記載がない限り、他の構成要素を除外するのではなく、他の構成要素をさらに含むことができることを意味し、一つまたはそれ以上の他の特徴や数字、段階、動作、構成要素、部分品またはこれらの組み合わせの存在または付加の可能性を事前に排除しないものと理解されるべきである。
以下、添付図面を参照して本発明を詳細に説明する。
【００１１】
図１は本発明の一実施形態に係るファイルエージングサービス提供システムを説明するための構成図である。図１を参照すると、ファイルエージングサービス提供システム１は、ユーザー端末１００、ファイルエージングサービス提供サーバー３００、およびコンテンツアップロードサーバー４００を含むことができる。但し、このような図１のファイルエージングサービス提供システム１は本発明の一実施形態に過ぎないので、本発明は図１に限定解釈されるものではない。
【００１２】
このとき、図１の各構成要素は、一般にネットワーク（ｎｅｔｗｏｒｋ）２００を介して接続される。例えば、図１に示すように、ネットワーク２００を介してユーザー端末１００とファイルエージングサービス提供サーバー３００とが接続できる。また、ファイルエージングサービス提供サーバー３００はネットワーク２００を介してコンテンツアップロードサーバー４００に接続できる。ユーザー端末１００はファイルエージングサービス提供サーバー３００を経由してコンテンツアップロードサーバー４００に接続できる。
【００１３】
ここで、ネットワーク２００は、端末およびサーバーなどのそれぞれのノードの相互間で情報の交換が可能な接続構造を意味するもので、このようなネットワーク２００は、一例として、インターネット（Ｉｎｔｅｒｎｅｔ）、ＬＡＮ（Ｌｏｃａｌ  Ａｒｅａ  Ｎｅｔｗｏｒｋ  ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、３Ｇ、４Ｇ、ＬＴＥ、Ｗｉ−Ｆｉなどが挙げられるが、これに限定されない。また、図１に示されたユーザー端末１００、ファイルエージングサービス提供サーバー３００、コンテンツアップロードサーバー４００は、図１に示されたものに限定解釈されるものではない。
【００１４】
ユーザー端末１００は、Ｗｅｂサイト、アプリケーション、メッセンジャー、クラウド、ＰＣ、メールにコンテンツをアップロードまたは伝送する端末でありうる。このとき、ユーザー端末１００は、ファイルエージングサービス提供サーバー３００が提供するサイトからアップロードまたは伝送したコンテンツを確認する端末でありうる。また、ユーザー端末１００は、ファイルエージングサービス提供サーバー３００を経由してアップロードされたコンテンツのコンテンツ消滅時点を確認し、アップロードされたコンテンツを削除したり、コンテンツ消滅時点を増減させたり、コンテンツを再び回復させたりする端末でありうる。ユーザー端末１００は、ネットワーク２００を介して遠隔地のサーバーや端末に接続することが可能な端末として実現できる。ユーザー端末１００は、ネットワーク２００を介して遠隔地のサーバーや端末に接続することが可能なコンピュータとして実現できる。ここで、コンピュータは、例えば、カメラが搭載されたノートＰＣ、デスクトップ（Ｄｅｓｋｔｏｐ）、ラップトップ（Ｌａｐｔｏｐ）などを含むことができる。また、ユーザー端末１００は、ネットワーク２００を介して遠隔地のサーバーや端末に接続することが可能な端末として実現できる。ユーザー端末１００は、例えば、携帯性と移動性が保障される無線通信装置であって、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（ｓｍａｒｔｐｈｏｎｅ）、スマートパッド（ｓｍａｒｔｐａｄ）、タブレットＰＣ（Ｔａｂｌｅｔ  ＰＣ）などの全種類のハンドヘルド（Ｈａｎｄｈｅｌｄ）型無線通信装置を含むことができる。
【００１５】
ファイルエージングサービス提供サーバー３００は、コンテンツアップロードサーバー４００を経由してユーザー端末１００からコンテンツアップロードイベントを受信し、受信したコンテンツアップロードイベントに含まれているコンテンツ消滅時点をユーザー端末１００とマッピングして保存するサーバーでありうる。これにより、ファイルエージングサービス提供サーバー３００は、ユーザー端末１００からアップロードしたコンテンツと、このアップロードしたコンテンツが位置したＷｅｂサイト、アプリケーション、メッセンジャー、クラウド、ＰＣ、メールサーバーを、ユーザー端末１００とマッピングして保存することができる。そして、ファイルエージングサービス提供サーバー３００は、コンテンツ消滅時点に近づく場合、ユーザー端末１００にコンテンツ消滅予定メッセージを伝送することができる。この際、ユーザー端末１００から消滅治療メッセージが応答メッセージとして伝送された場合、コンテンツのディ−エージング信号（ｄｅ−Ａｇｉｎｇ  Ｓｉｇｎａｌ）を出力し、コンテンツ消滅確認メッセージであれば、少なくとも一つのサイトまたはコンテンツアップロードサーバー４００へコンテンツの消滅信号を伝送してコンテンツが削除されるようにすることができる。したがって、ファイルエージングサービス提供サーバー３００は、ユーザー端末１００のユーザーが、どのコンテンツがどのサイトまたはどの端末に保存されているかを一つのサイトで確認することを可能にする。また、ファイルエージングサービス提供サーバー３００は、ユーザー端末１００のユーザーがコンテンツの寿命を設定することができるようにし、寿命切れのコンテンツを削除するかどうかを確認することにより、Ｗｅｂサイトのサーバー上のジャンクデータ（Ｊｕｎｋ  Ｄａｔａ）を減らすようにすることができ、個人の著作物に対する保護を行うことができる。ファイルエージングサービス提供サーバー３００は、ネットワーク２００を介して遠隔地のサーバーや端末に接続することが可能なコンピュータとして実現できる。ここで、コンピュータは、例えば、カメラが搭載されたノートＰＣ、デスクトップ（Ｄｅｓｋｔｏｐ）、ラップトップ（Ｌａｐｔｏｐ）などを含むことができる。
【００１６】
コンテンツアップロードサーバー４００は、メッセンジャーサービス提供サーバー、ソーシャルネットワークサービス（Ｓｏｃｉａｌ  Ｎｅｔｗｏｒｋ  Ｓｅｒｖｉｃｅ）提供サーバー、インターネットサービス提供サーバー、テキストメッセージサービス提供サーバー、クラウドサービス提供サーバー、およびメールサービス提供サーバーの少なくとも一つでありうる。コンテンツアップロードサーバー４００は、ユーザー端末１００が接続してコンテンツをアップロードまたは保存することが可能なサーバーでありうる。このとき、コンテンツアップロードサーバー４００は、ファイルエージングサービス提供サーバー３００へディ−エージング信号またはコンテンツ消滅信号を伝送することができる。これにより、コンテンツアップロードサーバー４００は、ディ−エージング信号の伝送を受けた場合、コンテンツが消滅しないようにし、コンテンツ消滅信号の伝送を受けた場合、コンテンツがコンテンツアップロードサーバー４００から削除されるようにする。この際、コンテンツアップロードサーバー４００は、ネットワーク２００を介して遠隔地のサーバーまたは端末に接続することが可能な端末として実現できる。コンテンツアップロードサーバー４００は、ネットワーク２００を介して遠隔地のサーバーまたは端末に接続することが可能なコンピュータとして実現できる。また、コンテンツアップロードサーバー４００は、ネットワーク２００を介して遠隔地のサーバーまたは端末に接続することが可能な端末として実現できる。
【００１７】
図２は図１に示されたファイルエージングサービス提供サーバーを説明するための構成図であり、図３ａ〜図３ｄは図１に示されたファイルエージングサービスがＷｅｂサイトおよびユーザー端末で駆動される一実施形態を示す図である。
【００１８】
図２を参照して説明すると、ファイルエージングサービス提供サーバー３００は、受信部３１０、保存部３２０、変形部３３０、伝送部３４０、エージング部３５０、自動処理部３６０、および時点変更部３７０を含むことができる。
【００１９】
本発明の一実施形態に係るファイルエージングサービス提供サーバー３００、またはファイルエージングサービス提供サーバー３００と連動して動作する別のサーバー（図示せず）が、ファイルエージングサービスアプリケーション、プログラム、Ｗｅｂページなどをユーザー端末１００またはコンテンツアップロードサーバー４００へ伝送すると、ユーザー端末１００またはコンテンツアップロードサーバー４００は、当該サービスに対するアプリケーション、プログラム、Ｗｅｂページなどをインストールしたり開いたりすることができる。また、Ｗｅｂブラウザ上で実行されるスクリプトを用いてファイルエージングサービスプログラムをユーザー端末１００またはコンテンツアップロードサーバー４００で駆動することもできる。ここで、Ｗｅｂブラウザは、Ｗｅｂ（ＷＷＷ：ｗｏｒｌｄ  ｗｉｄｅ  ｗｅｂ）サービスを利用することを可能にするプログラムであって、ＨＴＭＬ（ｈｙｐｅｒ  ｔｅｘｔ  ｍａｒｋ−ｕｐ  ｌａｎｇｕａｇｅ）で記述されたハイパーテキストを受け取って表示するプログラムを意味し、例えば、ネットスケープ（Ｎｅｔｓｃａｐｅ）、エクスプローラ（Ｅｘｐｌｏｒｅｒ）、クロム（ｃｈｒｏｍｅ）などを含む。また、アプリケーションは、端末上のアプリケーション（ａｐｐｌｉｃａｔｉｏｎ）を意味し、例えば、モバイル端末（スマートフォン）で実行されるアプリ（ａｐｐ）を含む。アプリ（ａｐｐ）は、モバイルコンテンツを自由に売買する仮想の市場であるモバイルアプリケーションマーケットからダウンロードしてインストールすることができる。
【００２０】
このとき、ネットワーク２００の接続は、ユーザー端末１００、ファイルエージングサービス提供サーバー３００、コンテンツアップロードサーバー４００が通信可能に相互接続されることを意味し、ネットワーク２００の接続を生成することは、ファイルエージングサービス提供サーバー３００がネットワーク２００で接続されている端末との通信のために通信接点に通信オブジェクトを生成することを意味する。ファイルエージングサービス提供サーバー３００は、通信オブジェクトを介してデータを交換することができる。
【００２１】
受信部３１０は、コンテンツアップロードサーバー４００を経由してユーザー端末１００からコンテンツアップロードイベントを受信することができる。このとき、コンテンツアップロードイベントには、ユーザー端末１００の識別番号、ユーザー端末１００のＩＤおよびパスワード情報、アップロードされたコンテンツが掲示されたＵＲＬ情報、アップロードされたコンテンツが消滅するコンテンツ消滅時点情報がメタ情報として含まれ得る。この際、ユーザー端末１００のＩＤおよびパスワード情報は、コンテンツが掲示されたサイトのＩＤおよびパスワードを含み、ファイルエージングサービス提供サーバー３００が提供するサイトのＩＤおよびパスワードも含む。これを区分するために、ＩＤおよびパスワードには、どのサイトまたはアプリケーションに対するＩＤとパスワードであるかをタグまたはメタ情報としてタグ付けすることができる。
【００２２】
保存部３２０は、受信したコンテンツアップロードイベントに含まれているコンテンツ消滅時点をユーザー端末１００とマッピングして保存することができる。このとき、保存部３２０は、保存されたユーザー端末１００からアップロードしたコンテンツの内容および消滅時点を、ファイルエージングサービス提供サーバー３００が提供するサイトに掲載することができる。図３ａを参照すると、［１］ユーザー端末１００がソーシャルネットワーク、ポータルサイト、またはその他のサイトにアップロードしたファイルまたはテキストが存在する場合、［２］ファイルエージングサービス提供サーバー３００が提供するサイトに、［３］ファイルまたはテキストがリストアップ（Ｌｉｓｔ  Ｕｐ）されて表示され、［４］ユーザー端末１００の応答メッセージに基づいてコンテンツを回復させることが可能なユーザーインターフェースが表示され、［５］コンテンツの消滅時点が、コンテンツを削除するユーザーインターフェース上にオーバーレイ（Ｏｖｅｒｌａｙ）されて表示され得る。このとき、［１］ソーシャルネットワーク、ポータルサイトまたはその他のサイトには、ユーザー端末１００のコンテンツの消滅時点を設定することが可能なタイマーが適用できる。そして、［２］ファイルエージングサービス提供サーバー３００が提供するサイトでは、個別サイトごとに分散されたユーザー端末１００のコンテンツに対して統合して照会することが可能なサービスを提供することができ、コンテンツの寿命を管理することが可能な環境を提供することができる。また、［３］ユーザー端末１００のユーザーは、自分が設定したコンテンツ寿命に応じて老化する過程をユーザーインターフェースを用いて確認することができる。そして、［４］ファイルエージングサービス提供サーバー３００が提供するサイトは、ユーザー端末１００のユーザーが自分のアップロードしたコンテンツのコンテンツ消滅時点を変更したり保存したり回生させたりすることが可能な環境を提供することができ、［５］ファイルエージングサービス提供サーバー３００から提供するサイトは、コンテンツの消滅時点に近づく場合、ユーザー端末１００にこれを通知することによりコンテンツを管理することができるようにする。
【００２３】
再び図２を参照すると、変形部３３０は、コンテンツ消滅時点と現時点との期間差に基づいてコンテンツのエージング信号（Ａｇｉｎｇ  Ｓｉｇｎａｌ）を出力してコンテンツを変形させることができる。ここで、コンテンツの変形率は、コンテンツ消滅時点と現時点との期間差に対応することができる。このとき、コンテンツのエージング信号は、少なくとも一つのサイトおよびコンテンツアップロードサーバー４００へ伝送できる。また、コンテンツのエージング信号は、コンテンツを表示するユーザーインターフェースの色あせ、スクラッチ、ノイズおよび透明度の少なくとも一つを調節する信号でありうる。ここで、コンテンツアップロードサーバー４００は、メッセンジャーサービス提供サーバー、ソーシャルネットワークサービス（Ｓｏｃｉａｌ  Ｎｅｔｗｏｒｋ  Ｓｅｒｖｉｃｅ）提供サーバー、インターネットサービス提供サーバー、テキストメッセージサービス提供サーバー、クラウドサービス提供サーバー、およびメールサービス提供サーバーの少なくとも一つでありうる。ここで、コンテンツアップロードサーバー４００は、ユーザー端末１００からコンテンツをアップロードするとき、コンテンツ消滅時点を設定することが可能なタイマーに対応するユーザーインターフェースをユーザー端末１００へ提供することができる。そして、コンテンツアップロードサーバー４００は、出力されたエージング信号に対応するようにコンテンツを変形させることができる。
【００２４】
伝送部３４０は、コンテンツ消滅時点から所定の期間内にユーザー端末１００へコンテンツの消滅予定メッセージを伝送することができる。このとき、ファイルエージングサービス提供サーバー３００は、コンテンツアップロードサーバー４００にアップロードされたコンテンツとコンテンツ消滅時点を表示する少なくとも一つのサイトを提供することができる。
【００２５】
エージング部３５０は、ユーザー端末１００からコンテンツの消滅予定メッセージの応答メッセージを受信することができる。また、エージング部３５０は、応答メッセージがコンテンツ消滅治療メッセージであれば、コンテンツのディ−エージング信号（ｄｅ−Ａｇｉｎｇ  Ｓｉｇｎａｌ）を出力し、応答メッセージがコンテンツ消滅確認メッセージであれば、少なくとも一つのサイトおよびコンテンツアップロードサーバー４００へコンテンツ消滅信号を伝送してコンテンツが削除されるようにすることができる。このとき、コンテンツのディ−エージング信号は、コンテンツの消滅時点を延長するコンテンツ消滅時点変更信号、コンテンツをユーザー端末１００またはコンテンツアップロードサーバー４００に保存するコンテンツ保存信号、またはコンテンツ消滅時点を再設定するコンテンツ消滅時点再設定信号でありうる。この際、コンテンツアップロードサーバー４００とファイルエージングサービス提供サーバー３００は、コンテンツ消滅時点にアップロードされたコンテンツの同期化を行うことができる。
【００２６】
自動処理部３６０は、ユーザー端末１００からコンテンツアップロードサーバー４００を経由してユーザー端末１００のコンテンツアップロードサーバー４００に対するＩＤおよびパスワードを受信したり、コンテンツアップロードサーバー４００からユーザー端末１００のＩＤおよびパスワードを受信したりすることができる。そして、自動処理部３６０は、受信されたＩＤおよびパスワードをユーザー端末１００とＩＤおよびパスワードの適用されるコンテンツアップロードサーバー４００とをマッピングして保存し、ユーザー端末１００からコンテンツの消滅予定メッセージの応答メッセージを受信する場合、応答メッセージがコンテンツ消滅治療メッセージであれば、コンテンツのディ−エージング信号（ｄｅ−Ａｇｉｎｇ  Ｓｉｇｎａｌ）を出力し、応答メッセージがコンテンツ消滅確認メッセージであれば、前記コンテンツの消滅信号を出力することができる。この時、自動処理部３６０は、コンテンツアップロードサーバー４００が提供するサイトに画像認識アルゴリズムを利用してＩＤおよびパスワードを入力するユーザーインターフェースを検索することができる。ここで、自動処理部３６０は、コンテンツアップロードサーバー４００が提供するサイトから、ＩＤおよびパスワードを入力するユーザーインターフェースの座標値を抽出し、ユーザー端末１００の画面サイズおよび画面倍率に対応する座標値を調節することにより、ユーザーインターフェースを検索することができる。例えば、任意の一つのサイトを検索すると仮定すると、サイトをイメージスキャンし、スキャンされたイメージのテキストを読み込んで、ＩＤおよびパスワードを入力するボックス（ユーザーインターフェース）の座標値を抽出することができる。ここで、イメージテンプレートを用いてボックスタイプのテンプレートを抽出し、当該テンプレートの座標を読み込む方法を利用することもできる。このとき、ユーザー端末１００の画面サイズおよび画面倍率の多様性により座標値は変更できるので、様々な種類の端末の画面サイズおよび画面倍率に合うように座標値を変更することもできる。そして、自動処理部３６０は、検索されたＩＤおよびパスワードを入力するユーザーインターフェースに、受信されたＩＤおよびパスワードを入力し、ユーザー端末１００がアップロードしたコンテンツをディ−エージングさせて消滅状態を回復させるか、或いはユーザー端末１００がアップロードした前記コンテンツを自動的に消滅させることができる。
【００２７】
時点変更部３７０は、コンテンツアップロードサーバー４００から、ユーザー端末１００がアップロードしたコンテンツに対する検索イベントを受信し、受信した検索イベントに基づいてコンテンツの消滅時点を変更することができる。この際、検索イベントに含まれている検索の数が増加するほど、コンテンツの消滅時点は遅くなり、検索イベントに含まれている検索の数が減少するほど、コンテンツの消滅時点は早くなりうる。つまり、コンテンツが誰も必要としないコンテンツであるか或いは価値のない状態である場合、コンテンツの老化を加速化させることができ、これによりデータベースを効率よく利用するようにすることができる。
一方、ファイルエージングサービスがメッセンジャーベースのサーバーで駆動される一実施形態を図３ｂを参照して説明する。
【００２８】
図３ｂを参照すると、（ａ）に示すように、ユーザー端末１００は、テキストをアップロードするとき、テキストの消滅時点を設定することができ、ファイルエージングサービス提供サーバー３００は、当該テキストを、消滅時点が経過すれば削除（［３］）されて見られなくなるようにすることができるとともに、複数のユーザー端末１００が参加したチャットルーム自体（［２］）も時間を設定することにより、チャットルーム自体も所定の時間だけ維持されるようにすることができる。また、（ｂ）に示すように、ユーザー端末１００間のチャットルームがリストアップされるときにも、チャットルームの消滅時点（［１］）が表示でき、（ｃ）に示すように、消滅時点に近づくほどイメージが老化する過程が、ユーザーインターフェース的な要素を用いて表示でき、有効寿命に達すると、当該イメージは自動的に削除できる。また、チャットルーム内でユーザー端末１００が登録した会話および共有コンテンツに対して消滅時点が設定されている場合、コピーまたはダウンロードなどの操作を、消滅時点を設定したユーザー端末１００が制御するようにすることができる。
【００２９】
まとめると、ファイルエージングサービス提供サーバー３００は、複数のユーザー端末１００から会話への参加イベントを受信することができる。そして、ファイルエージングサービス提供サーバー３００は、複数のユーザー端末１００のうちいずれか一つのユーザー端末１００からコンテンツアップロードイベントを受信し、受信したコンテンツアップロードイベントに含まれているコンテンツを複数のユーザー端末１００へ伝送することができる。その後、ファイルエージングサービス提供サーバー３００は、受信したコンテンツアップロードイベントに含まれているコンテンツ消滅時点と現時点との期間差をカウントして複数のユーザー端末１００へ伝送することができる。このとき、ファイルエージングサービス提供サーバー３００は、コンテンツ消滅時点が現時点と一致する場合、複数のユーザー端末１００からコンテンツが消滅するようにコンテンツ消滅信号を伝送することにより、コンテンツが複数のユーザー端末１００から削除されるようにすることができる。この際、複数のユーザー端末１００は、受信した期間差をテキスト、イメージまたは映像として表示することができる。例えば、テキストは残余時間、イメージはタイマーイメージ、映像は残余時間がタイマーにオーバーレイされてカウントされる映像でありうる。ここで、ファイルエージングサービス提供サーバー３００は、コンテンツ消滅時点と現時点との期間差に基づいて、コンテンツのエージング信号（Ａｇｉｎｇ  Ｓｉｇｎａｌ）を複数のユーザー端末１００へ出力してコンテンツを変形させることができる。この時、コンテンツのエージング信号は、コンテンツを表示するユーザーインターフェースの色あせ、スクラッチ、ノイズおよび透明度の少なくとも一つを調節する信号でありうる。
また、ファイルエージングサービスがＰＣベースのサーバー上で駆動される一実施形態を図３ｃおよび図３ｄを参照して説明する。
【００３０】
図３ｃを参照すると、ファイルエージングサービス提供サーバー３００は、個人用ＰＣにプログラムをインストールし或いはファイルを保存するときに、保存イベントを感知してタイマーを作動させることができ、ＰＣのユーザーは、プログラムおよびファイルに対するコンテンツ消滅時点を設定することができる（［１］）。また、インストールまたは保存されたプログラムまたはファイルのコンテンツ消滅時点に近づくほど、ファイルエージングサービス提供サーバー３００は、老化過程をユーザーインターフェース的な要素を利用して提供することができ、コンテンツ消滅時点に到達する場合、インストールされたプログラムまたはファイルを削除することができる（［２］）。また、ファイルエージングサービス提供サーバー３００は、ユーザーオプトイン（Ｏｐｔ−ｉｎ）に基づいてコンテンツに対するクラウドバックアップ機能を提供し、或いは削除されたコンテンツに対する復旧機能を提供することができる。
【００３１】
図３ｄを参照すると、ファイルエージングサービス提供サーバー３００は、企業で使用するエンタープライズリソースプラニングサーバー、メッセンジャー、セキュリティプログラムのようなシステムとの連動を通じて、コンテンツに対する監視および寿命管理が可能な環境を提供することができる（［１］）。ここで、ファイルエージングサービス提供サーバー３００は、企業内の職員の著作および業務活動の際に、関連著作物のコンテンツ消滅時点を設定することが可能なタイマー機能を提供することができ（［２］）、生成および配布された著作物の寿命に応じて老化していく過程を、ユーザーインターフェース的な要素を利用して直観的に認知することができるようにすることができる。また、ファイルエージングサービス提供サーバー３００は、著作物を含むコンテンツに対する有効寿命を変更、保存または復旧することが可能な環境を提供することができ（［３］）、著作物を含むコンテンツの有効寿命を変更しようとするとき、管理者に通知サービスを提供することができ、管理者が任意にコンテンツを削除することができるようにする機能も提供することができる。
【００３２】
まとめると、ファイルエージングサービス提供サーバー３００は、コンテンツアップロードサーバー４００を経由してユーザー端末１００からコンテンツ保存イベントを受信し、或いはユーザー端末１００からコンテンツ保存イベントを受信する。その後、ファイルエージングサービス提供サーバー３００は、受信したコンテンツ保存イベントに含まれているコンテンツ消滅時点をユーザー端末１００とマッピングして保存することができ、コンテンツ消滅時点から所定の期間内にユーザー端末１００へコンテンツの消滅予定メッセージを伝送することができる。そして、ファイルエージングサービス提供サーバー３００は、ユーザー端末１００からコンテンツの消滅予定メッセージの応答メッセージを受信し、応答メッセージがコンテンツ消滅治療メッセージである場合には、コンテンツのディ−エージング信号（ｄｅ−Ａｇｉｎｇ  Ｓｉｇｎａｌ）を出力し、応答メッセージがコンテンツ消滅確認メッセージである場合には、ユーザー端末１００へコンテンツの消滅信号を伝送してコンテンツが削除されるようにすることができる。
【００３３】
このような図２および図３ａ〜図３ｄのファイルエージングサービス提供方法について説明されていない事項は、先立って図１を参照してファイルエージングサービス提供方法について説明された内容と同一であるか、或いはその説明された内容から容易に類推することができるから、説明を省略する。
【００３４】
図４は本発明の一実施形態に係る図１のファイルエージングサービス提供システムに含まれている各構成の相互間でデータが送受信される過程を示す図である。以下、図４を介して、本発明の一実施形態によって信号が送受信される過程の一例を説明するが、本発明は、このような実施形態に限定されて解釈されるものではなく、前述した様々な実施形態によって、図４に示されたデータの送受信過程が変更できるのは、技術分野に属する当業者にとって自明である。
【００３５】
図４を参照すると、ユーザー端末１００がコンテンツアップロードサーバー４００にコンテンツをアップロードし（Ｓ４１００）、コンテンツアップロードサーバー４００を経由してファイルエージングサービス提供サーバー３００にコンテンツアップロードイベントを伝送すると（Ｓ４２００）、ファイルエージングサービス提供サーバー３００はユーザー端末とコンテンツ消滅時点をマッピングして保存する（Ｓ４３００）。
【００３６】
その次に、ファイルエージングサービス提供サーバー３００は、コンテンツ消滅時点と現時点との期間差を計算し（Ｓ４４００）、期間差にマッピングされた変形率を検索し（Ｓ４５００）、コンテンツアップロードサーバー４００へ、検索された変形率に基づいたエージング信号を伝送する（Ｓ４６００）。このとき、コンテンツアップロードサーバー４００はエージング信号に基づいてコンテンツを変形させる（Ｓ４７００）。
【００３７】
コンテンツアップロードサーバー４００が、発生した検索イベントをファイルエージングサービス提供サーバー３００に伝送すると、ファイルエージングサービス提供サーバー３００は、検索イベントに基づいてコンテンツの消滅時点を変更し（Ｓ４８３０）、変更されたコンテンツ消滅時点をコンテンツアップロードサーバー４００へ伝送する（Ｓ４８５０）。
【００３８】
このとき、ファイルエージングサービス提供サーバー３００は、現時点がコンテンツ消滅時点から所定の期間内である場合（Ｓ４９１０）、ユーザー端末１００へ消滅予定メッセージを伝送し（Ｓ４９３０）、ユーザー端末１００から応答メッセージが伝送されると（Ｓ４９５０）、応答メッセージを分析し（Ｓ４９７０）、ディ−エージング信号または消滅信号をコンテンツアップロードサーバー４００へ伝送する（Ｓ４９８０）。この時、コンテンツアップロードサーバー４００は、信号を分析し、信号に基づいた動作を行う（Ｓ４９９０）。
【００３９】
このような図４のファイルエージングサービス提供方法について説明されていない事項は、先立って図１〜図３ｄを参照してファイルエージングサービス提供方法について説明された内容と同一であるか、或いはその説明された内容から容易に類推することできるから、以下に説明を省略する。
【００４０】
上述した段階Ｓ４１００〜Ｓ４９９０の順序は例示に過ぎず、これに限定されない。つまり、上述した段階Ｓ４１００〜Ｓ４９９０の順序は相互変動してもよく、これらの一部の段階は同時に実行または削除されてもよい。
【００４１】
図５は本発明の一実施形態に係るファイルエージングサービス提供方法を説明するための動作フローチャートである。図５を参照すると、ファイルエージングサービス提供サーバーは、コンテンツアップロードサーバーを経由してユーザー端末からコンテンツアップロードイベントを受信する（Ｓ５１００）。
【００４２】
その後、ファイルエージングサービス提供サーバーは、受信したコンテンツアップロードイベントに含まれているコンテンツ消滅時点をユーザー端末とマッピングして保存する（Ｓ５２００）。
【００４３】
ここで、ファイルエージングサービス提供サーバーは、コンテンツ消滅時点と現時点との期間差に基づいてコンテンツのエージング信号（Ａｇｉｎｇ  Ｓｉｇｎａｌ）を出力してコンテンツを変形させる（Ｓ５３００）。
【００４４】
そして、ファイルエージングサービス提供サーバーは、コンテンツ消滅時点から所定の期間内にユーザー端末へコンテンツの消滅予定メッセージを伝送する（Ｓ５４００）。
【００４５】
このような図５のファイルエージングサービス提供方法について説明されていない事項は、先立って図１〜図４を介してファイルエージングサービス提供方法について説明された内容と同一であるか、或いはその説明された内容から容易に類推することができるから、以下に説明を省略する。
【００４６】
図５を参照して説明された一実施形態に係るファイルエージングサービス提供方法は、コンピュータによって実行されるアプリケーションやプログラムモジュールなど、コンピュータによって実行可能なコマンドを含む記録媒体の形でも実現することができる。コンピュータ可読媒体は、コンピュータによってアクセスできる任意の可用媒体であってもよく、揮発性および不揮発性媒体、分離型および非分離型媒体をすべて含む。また、コンピュータ可読媒体は、コンピュータ記憶媒体および通信媒体をすべて含むことができる。コンピュータ記憶媒体は、コンピュータ可読のコマンド、データ構造、プログラムモジュールまたはその他のデータなどの情報を保存するための任意の方法または技術で実現された揮発性および不揮発性、分離型および非分離型媒体をすべて含む。通信媒体は、典型的には、コンピュータ可読のコマンド、データ構造、プログラムモジュールまたは搬送波などの変調されたデータ信号のその他のデータ、またはその他の伝送メカニズムを含み、任意の情報伝達媒体を含む。
【００４７】
前述した本発明の一実施形態に係るファイルエージングサービス提供方法は、端末機に基本的にインストールされたアプリケーション（これは端末機に基本的に搭載されたプラットフォームやオペレーティングシステムなどに含まれているプログラムを含むことができる）によって実行でき、ユーザーがアプリケーションストアサーバー、アプリケーションまたは当該サービスに関連するＷｅｂサーバーなどのアプリケーション提供サーバーを介してマスター端末機に直接インストールしたアプリケーション（すなわち、プログラム）によって実行されることもできる。このようなことから、前述した本発明の一実施形態に係るエージングサービス提供方法は、端末機に基本的にインストールされた或いはユーザーによって直接インストールされたアプリケーション（すなわち、プログラム）で実現され、コンピュータで読み取り可能な記録媒体に記録できる。
【００４８】
前述した本発明の説明は例示に過ぎず、本発明の属する技術分野における通常の知識を有する者は、本発明の技術的思想や必須の特徴を変更することなく、他の具体的な形態に容易に変形させることが可能であることを理解することができるだろう。したがって、前述した実施形態は、あらゆる面で例示的なもので、限定的なものではないと理解すべきである。例えば、単一型に説明されている各構成要素は分散されて実施されてもよく、これと同様に、分散されたものと説明されている構成要素も結合された形態で実施されてもよい。
【００４９】
本発明の範囲は前述の詳細な説明よりは後述の特許請求の範囲によって示され、特許請求の範囲の意味および範囲、そしてその均等概念から導き出されるすべての変更または変形形態も本発明の範囲に含まれるものと解釈されるべきである。
【図１】
0006363200.tif 000002
【図２】
0006363200.tif 000003
【図３ａ】
0006363200.tif 000004
【図３ｂ】
0006363200.tif 000005
【図３ｃ】
0006363200.tif 000006
【図３ｄ】
0006363200.tif 000007
【図４】
0006363200.tif 000008
【図５】
0006363200.tif 000009